(57)【特許請求の範囲】
【請求項１】
それぞれ異なる大きさのセルを有する複数のレイヤからなる階層型セル構成を採用する移動通信システムであって、
前記システムを構成する無線制御装置、無線基地局装置は、前記階層セル間の移動が必要になる移動局装置に対して、制御情報を報知し、
前記移動局装置は、前記制御情報を受信し、該受信した制御情報に基づいてセルリセレクションの回数を前記複数のレイヤにおけるそれぞれの複数の閾値と比較して、比較結果に応じてレイヤを決定し、決定したレイヤに属するセルを移行先のセルとして選択して待受け状態に移行することを特徴とする、移動通信システム。
【請求項２】
それぞれ異なる大きさのセルを有する複数のレイヤからなる階層型セル構成を採用した無線移動通信システムにおいて、移動速度に応じて在圏するセルを選択する移動局装置であって、
前記複数のレイヤのそれぞれについて設定された、セルリセレクション回数の複数の閾値を記憶する記憶部と、
一定時間に実行されたセルリセレクションの回数を測定し、得られたセルリセレクション回数を前記複数の閾値の各々と比較して、比較結果に応じて前記移動速度に適したレイヤを決定し、決定されたレイヤに属するセルを移行先として選択する制御部と
を備えることを特徴とする移動局装置。
【請求項３】
前記制御部は、前記セルリセレクション回数が第１のレイヤに対応する閾値以上であり、かつ、該第１のレイヤより大きなセルを有する第２のレイヤに対応する閾値未満であれば、該第１のレイヤを前記移動速度に適したレイヤとして選択することを特徴とする請求項２記載の移動局装置。
【請求項４】
前記記憶部は、前記複数のレイヤのそれぞれについて設定された、セルリセレクション回数測定時間の複数の閾値をさらに記憶し、前記制御部は、現在在圏しているセルより大きなセルへ移行する目的でセルを選択する場合には、前記セルリセレクション回数が第１のレイヤに対応する閾値以上であり、かつ、該第１のレイヤより大きなセルを有する第２のレイヤに対応する閾値未満であれば、該第１のレイヤを前記移動速度に適したレイヤとして選択し、現在在圏しているセルより小さなセルへ移行する目的でセルを選択する場合には、実行されたセルリセレクションの回数が一定値に達するまでの所要時間を測定して、得られた所要時間を前記セルリセレクション回数測定時間の複数の閾値の各々と比較し、該所要時間が第３のレイヤに対応する閾値以下であり、かつ、該第３のレイヤより大きなセルを有する第４のレイヤに対応する閾値より長ければ、該第３のレイヤを前記移動速度に適したレイヤとして選択することを特徴とする請求項２記載の移動局装置。
【請求項５】
前記制御部は、前記セルリセレクション回数の複数の閾値と前記一定時間を用いて、前記セルリセレクション回数測定時間の複数の閾値を計算し、前記記憶部に格納することを特徴とする請求項４記載の移動局装置。
【請求項６】
それぞれ異なる大きさのセルを有する複数のレイヤからなる階層型セル構成を採用した無線移動通信システムにおいて、移動速度に応じて在圏するセルを選択する移動局装置であって、
前記複数のレイヤのそれぞれについて設定された、セルリセレクション回数測定時間の複数の閾値を記憶する記憶部と、
セルリセレクションの回数が一定値に達するまでの所要時間を測定し、得られた所要時間を前記複数の閾値の各々と比較して、比較結果に応じて前記移動速度に適したレイヤを決定し、決定されたレイヤに属するセルを移行先として選択する制御部と
を備えることを特徴とする移動局装置。
【請求項７】
前記制御部は、前記所要時間が第１のレイヤに対応する閾値以下であり、かつ、該第１のレイヤより大きなセルを有する第２のレイヤに対応する閾値より長ければ、該第１のレイヤを前記移動速度に適したレイヤとして選択することを特徴とする請求項６記載の移動局装置。
【請求項８】
前記制御部は、前記決定されたレイヤに属するセルへの移行が失敗したとき、該セルのレイヤの優先度に最も近い優先度を有するレイヤに属するセルを、再移行先として選択することを特徴とする請求項２乃至７のいずれかに記載の移動局装置。
【請求項９】
前記制御部は、前記決定されたレイヤに属するセルへの移行が失敗したとき、該セルのレイヤの優先度から所定値だけ離れた優先度を有するレイヤに属するセルを、再移行先として選択することを特徴とする請求項２乃至７のいずれかに記載の移動局装置。
【請求項１０】
無線移動通信ネットワークから前記複数の閾値を報知情報として受信する受信部をさらに備えることを特徴とする請求項２乃至７のいずれかに記載の移動局装置。
【請求項１１】
それぞれ異なる大きさのセルを有する複数のレイヤからなる階層型セル構成を採用した無線移動通信システムにおいて、移動速度に応じて在圏するセルを選択するセル選択方法であって、
一定時間に実行されたセルリセレクションの回数を測定し、
得られたセルリセレクション回数を、前記複数のレイヤのそれぞれについて設定された、セルリセレクション回数の複数の閾値の各々と比較して、比較結果に応じて前記移動速度に適したレイヤを決定し、
決定されたレイヤに属するセルを移行先として選択する
ことを特徴とするセル選択方法。
【請求項１２】
前記セルリセレクション回数が第１のレイヤに対応する閾値以上であり、かつ、該第１のレイヤより大きなセルを有する第２のレイヤに対応する閾値未満であれば、該第１のレイヤを前記移動速度に適したレイヤとして選択することを特徴とする請求項１１記載のセル選択方法。
【請求項１３】
現在在圏しているセルより大きなセルへ移行する目的でセルを選択する場合には、前記セルリセレクション回数が第１のレイヤに対応する閾値以上であり、かつ、該第１のレイヤより大きなセルを有する第２のレイヤに対応する閾値未満であれば、該第１のレイヤを前記移動速度に適したレイヤとして選択し、現在在圏しているセルより小さなセルへ移行する目的でセルを選択する場合には、実行されたセルリセレクションの回数が一定値に達するまでの所要時間を測定して、得られた所要時間を、前記複数のレイヤのそれぞれについて設定された、セルリセレクション回数測定時間の複数の閾値の各々と比較し、該所要時間が第３のレイヤに対応する閾値以下であり、かつ、該第３のレイヤより大きなセルを有する第４のレイヤに対応する閾値より長ければ、該第３のレイヤを前記移動速度に適したレイヤとして選択することを特徴とする請求項１１記載のセル選択方法。
【請求項１４】
それぞれ異なる大きさのセルを有する複数のレイヤからなる階層型セル構成を採用する移動通信システムであって、
前記システムを構成する無線制御装置、無線基地局装置は、前記階層セル間の移動が必要になる移動局装置に対して、制御情報を報知し、
前記移動局装置は、前記制御情報を受信し、該受信した制御情報に基づいて、セルリセレクションの回数が一定値に達するまでの所要時間を前記複数のレイヤにおけるそれぞれの複数の閾値と比較して、比較結果に応じてレイヤを決定し、決定したレイヤに属するセルを移行先のセルとして選択して待受け状態に移行することを特徴とする、移動通信システム。
【発明の詳細な説明】
【技術分野】
【０００１】
本発明は、階層型セル構成（Hierarchical Cell Structures：ＨＣＳ）技術を用いた移動通信システムと、このような移動通信システムにおいて在圏するセルを選択するセル選択方法および移動局装置に関する。
【背景技術】
【０００２】
無線サービスの需要およびトラフィックが高まるにつれて、移動通信システムの容量を増加させる技術が多く用いられる。その１つとして、ＨＣＳ技術が提案され、使用されている。【０００３】
例えば、ＵＭＴＳ（Universal Mobile Telecommunications System）システムにおけるＨＣＳ技術を用いたセル構成については、３ＧＰＰ（3rd Generation Partnership Project）規格のＴＲ２５．３０４／９２２で勧告化されており、また、ＨＣＳ構成内に在圏する移動局装置のセル選択論理（idle mode およびRRC connected mode時）について詳細に記述されている。ここでは、この３ＧＰＰ規格を例にとり、移動局装置のようなＵＥ（ユーザ機器）のセル選択論理として定義されている部分について、以下で概略説明を行う。【０００４】
ＨＣＳ技術は、図１に示されるように、移動通信システムの特有なセル形状（大セル、小セル、マイクロセル等）をしている複数のセルを、階層型構成として形成させる技術である。概略的には、大セル内に小セルを重ねて形成することで、カバレッジホールをなくし、切れ目のないエリアを保障することを１つの目的としている。使用例としては、トラフィックの集中するエリアを小セルでカバーし、当該エリアに在圏するＵＥは当該セル（小セル）に在圏させることで、システム容量を増加させると共に、重ねて大きなセルを配置することが考えられる。【０００５】
図１の階層型セル構成では、最も大きなセル１１が２番目に大きなセル１２を含み、そのセル１２が最も小さなセル１３および１４を含んでいる。セル１１、１２、１３、および１４は、それぞれ基地局２１、２２、２３、および２４により形成され、ＵＥ３１および３２は、この階層型セル構成内を移動している。【０００６】
前述のように、多層セル構成を伴うエリアにおいては、ＵＥをできるだけ小セルに在圏させておきたい。しかし、例えば、ＵＥの移動速度が速すぎてセル再選択頻度が大きいため、あまりにセル選択回数が多い場合は、セル階層にかかわらず、受信レベルに応じたセル（大セル）に在圏させるようにしている。【０００７】
一般的に、大セルと小セルを用いて階層型セル構成を構築した場合、それぞれの基地局からの送信電力差により、ＵＥにおける受信レベルについても差が生じてしまう。一般的に、大セルを構成する基地局の送信電力は、小セルを構成する基地局の送信電力よりも大きく設定されるため、これに比例して、ＵＥにおいては、大セル基地局からの電波の方が、他の基地局からの電波よりも強く受信されることになる。【０００８】
図１の例では、セル１３内のＵＥは、基地局２１、２２、および２３からの電波を受信することができるが、基地局２１からの電波の受信レベルが最も大きく、基地局２２からの電波の受信レベルが次に大きく、基地局２３からの電波の受信レベルが最も小さい。セル１４内の受信レベルも、セル１３内の受信レベルと同様である。【０００９】
このような受信レベルに基づくセル選択論理では、単純にセル構成を階層型とするだけでは、その多重化されたセルを有効に利用することができない。そこで、ＨＣＳ技術では、各セルに対して優先度（priority）を割り当て、その優先度情報をＵＥに対して通知することで、多重セル構成を有するエリア内での待受け制御（セル選択制御）を実施可能なようになっている。【００１０】
また、本技術を用いることにより、特定の地理的領域（コンサート会場付近、繁華街周辺、駅周辺等）でサービスを行う基地局および無線チャネルの数を増加させ、ＵＥの接続先を意図的に制御することで、システム容量を増加させることも可能である。【００１１】
前述した優先度情報は、“priority level”としてセル毎に割り当てることができ、ＵＴＲＡＮ（UMTS Terrestrial Radio Access Network ）からＵＥへ、報知情報（Broadcast Control Channel ：ＢＣＣＨ）のSystem Information Blockを使って通知される。ＢＣＣＨのSystem Information Blockの詳細情報等については、３ＧＰＰ  ＴＳ２５．３３１ｖ５．５．０以降に記載されている。【００１２】
図２および図３は、System Information Block Type 3/4 の内容を示しており、図４は、System Information Block Type 11/12 の内容を示している。idle modeにおいては、System Information Block Type 3 またはSystem Information Block Type 11が使用される。【００１３】
図３のエレメント４０内のパラメータ４１（ＨＣＳ＿ＰＲＩＯ）は、priority levelを表し、“０〜７”の数値範囲で設定することが可能である。３ＧＰＰの仕様によれば、priority levelは、図４のSystem Information Block Type 11/12 においても、エレメント４５内の“ＨＣＳ＿ＰＲＩＯ”として定義することが可能である。priority levelの数値が大きいほど優先度は高く、数値が小さいほど優先度は低くなる。また、一般的に、大きなセルの優先度は、小さなセルの優先度より低く設定される。【００１４】
図１の階層型セル構成では、セル１３および１４の優先度は同じであり、セル１２の優先度よりも高く設定される。また、セル１２の優先度はセル１１の優先度よりも高く設定される。したがって、各基地局のpriority levelは、例えば、以下のように設定される。
基地局２３および２４：７
基地局２２：４
基地局２１：０
これに対して、基地局間の送信電力の関係は、上述したように、基地局２１＞基地局２２＞基地局２３および２４となる。つまり、優先度制御の目的は、受信レベルの大小に関わらず、各セルの優先度に応じたセル選択を可能にすることである。例えば、ＵＥ３１がセル１４のエリアにいるとき、小さいセル１４の優先度を高くすることで、受信レベルが大きい大セル１１に在圏させずに、受信レベルが小さいセル１４に在圏させることができる。【００１５】
階層型セル構成を有する移動通信システムにおいては、低速・固定型のＵＥの大部分に対して、小セルのレイヤ上でサービスを提供することを目的としている。例えば、図１のＵＥ３１はできる限り小セル１４に在圏させることが望ましい。【００１６】
しかし、車両移動中等のように、ＵＥが高速で移動している場合には、ＵＥに対して小セルのレイヤ上でサービスを提供しようとすると、ＵＥが在圏セルを選択しなおす“セルリセレクション制御”を何回も繰り返すことになってしまう。このような場合には、大セルのレイヤ上でサービスを受けさせることが望ましい。【００１７】
図１において、ＵＥ３２が高速移動車であり、大セル１１のみがカバーするエリアから小さいセル１４もカバーしているエリアヘＵＥ３２が移動する場合を考えてみる。ここで、移動速度とエリアの大きさの関係から小さいセル１３および１４間の移動が短時間で行われる場合や、ＵＥ３２がすぐまた大セル１１のみがカバーするエリアに移動する場合は、大セル１１に在圏させておきたい。【００１８】
このようなＵＥの移動速度に基づく制御を実施するため、現在のＨＣＳ技術においては、優先度情報に従えば小セルに在圏しなければならない場合でも、ＵＥが高速移動しているときは大セルへ移行させて、セルリセレクション回数を削減する仕組みが提供されている。【００１９】
この仕組みでは、ＵＥは自局の移動速度検出を実施する際、ＵＴＲＡＮからのＢＣＣＨ情報（System Information Block）を受信し、各種ＢＣＣＨ情報の中から、図３のパラメータ４３および４４（ＴCRMAXおよびＮCR）等の必要情報を取得する。そして、ＵＥが一定時間ＴCRMAX の間に所定回数ＮCR以下の“セルリセレクション”を行うと、ＵＥは自局が低速移動状態であると判断し、所要品質を満たしているセルの中で最もpriority levelの高いセルを選択し、さらにその中で受信レベルの最も大きいセルを移行先に決定する。【００２０】
一方、ＴCRMAX の間にＮCR回より多く“セルリセレクション”を行うと、ＵＥは自局が高速移動状態（Fast Moving）であると判断し、priority levelに関わらず受信レベルの最も大きいセルを選択し、在圏している小セルからそのセルに移行する。一般的に、受信レベルが最も大きいのは、priority levelが低いセル、すなわち大セルである。【００２１】
図５および図６は、このようなセル選択動作のフローチャートである。電源がオンになると（ステップ５１）、ＵＥは、まず、電源がオフになる前に保持していたセル情報をチェックする（ステップ５２および５３）。セル情報があれば、その情報に基づきセルサーチを行い（ステップ５４）、所定の受信レベル（足切りレベル）以上のセルが検出されたか否かをチェックする（ステップ５５）。【００２２】
足切りレベル以上のセルが検出されれば、それらのセルの中から受信レベルが最も大きなセルを選択してSystem Information Block（ＳＩＢ）を受信し（ステップ５６）、初期セル選択を完了する（ステップ５７）。【００２３】
ステップ５３においてセル情報がなければ、初期セルサーチ制御（３ＧＰＰ  ＴＳ２５．３０４）を行い（ステップ６４）、足切りレベル以上のセルが検出されたか否かをチェックする（ステップ６５）。そして、足切りレベル以上のセルが検出されれば、それらのセルの中から受信レベルが最も大きなセルを選択してＳＩＢを受信し（ステップ６６）、初期セル選択を完了する（ステップ５７）。ステップ５５および６５において足切りレベル以上のセルが検出されなければ、ステップ６４の動作を行う。【００２４】
初期セル選択を完了すると、次に、受信したＳＩＢ（Type 3またはType 11 ）にＨＣＳ構成情報が含まれているか否かをチェックする（ステップ５８）。このＨＣＳ構成情報は、図３のエレメント４０または図４のエレメント４５に対応する。【００２５】
ＳＩＢにＨＣＳ構成情報が含まれていれば、その情報に基づき受信レベルの測定を実施し（ステップ５９）、測定された受信レベルをＳＩＢに含まれる閾値Ｑhcs と比較する（ステップ６０）。図３のＳＩＢでは、Ｑhcs はエレメント４０内のパラメータ４２に対応し、図４のＳＩＢでは、Ｑhcs はエレメント４５内に記述される。【００２６】
受信レベルがＱhcs より大きいセルがあれば、それらのセルのpriority levelをチェックし（ステップ６１）、priority levelが最も高く、かつ、受信レベルが最も大きいセルを選択する（ステップ６２）。そして、一定時間ＴCRMAX を計測するタイマを起動し、セルリセレクション回数のカウントを開始して（ステップ６３）、待受け状態に移行する（ステップ６９）。【００２７】
ステップ５８においてＳＩＢにＨＣＳ構成情報が含まれていなければ、ＨＣＳ以外の構成における待受け制御（３ＧＰＰ  ＴＳ２５．３０４）を行い（ステップ６７）、ステップ６０において受信レベルがＱhcs 以下であれば、やはりＨＣＳ以外の構成における待受け制御（３ＧＰＰ  ＴＳ２５．３０４）を行う（ステップ６８）。【００２８】
待受け状態に移行したＵＥは、セルリセレクションを実行したか否かをチェックし（ステップ７０）、セルリセレクションを実行する度にセルリセレクション回数をカウントアップする（ステップ７１）。そして、タイマ値がＴCRMAX に達するまで、セルリセレクション回数のカウントアップを繰り返す（ステップ７２）。【００２９】
タイマ値がＴCRMAX に達すると、セルリセレクション回数をＮCRと比較し（ステップ７３）、セルリセレクション回数がＮCRより大きければ、自局が高速移動状態であると判定する（ステップ７４）。そして、priority levelに関わらず受信レベルの最も大きいセルを選択し（ステップ７５）、そのセルでの待受け状態に移行して（ステップ７６）、ステップ５８以降の動作を行う。【００３０】
一方、セルリセレクション回数がＮCR以下であれば、自局が低速移動状態であると判定する（ステップ７７）。そして、priority levelの最も高いセルを選択し、そのセルでの待受け状態に移行して（ステップ７８）、ステップ５８以降の動作を行う。【００３１】
例えば、図１のような３層セル構成を構築する場合、システム設計思想上では、セルの大きさに関係なくどのセルもＵＥ数がほぼ均等に存在するように設計している。しかし、現在のＨＣＳアルゴリズムに基づくと、セルリセレクションの判断基準が高速移動か低速移動かの２通りしかないので、最大セル１１（中高速移動時）か最小セル１３または１４（低速移動時の優先度制御）しか選択することができない。このため、中間のセル１２に在圏させたいＵＥでも、そのセル１２に在圏させることができない。【００３２】
ＵＥが小さすぎるセルを高速移動するとき、セルリセレクションを繰り返す結果、ＵＥのバッテリ消費が多くなり、連続待受け時間が短くなる。また、大きすぎるセルを低速移動する場合、発呼時や位置登録時に大きなセルの基地局と通信するために、やはりＵＥのバッテリ消費が多くなるという問題がある。さらに、トラフィックの負荷分散が適切に行われず、大きなセルが設計値以上に高負荷になるという問題もある。【００３３】
下記の特許文献１は、階層型セル構成を有する移動通信システムにおけるセルリセレクションに関し、特許文献２および３は、通常のセル構成を有する移動通信システムにおけるセルリセレクションに関する。
【特許文献１】特表２００３−５３４６７５号公報
【特許文献２】特表２００２−５２５９３８号公報
【特許文献３】特開２００３−０７００４７号公報
【発明の開示】
【００３４】
本発明の課題は、それぞれ異なる大きさのセルを有する複数のレイヤからなる階層型セル構成を採用した無線移動通信システムにおいて、移動速度およびセル構成に応じた適切な大きさのセルに、各移動局装置を在圏させることである。
【００３５】
本発明の第１の移動局装置において、記憶部は、複数のレイヤのそれぞれについて設定された、セルリセレクション回数の複数の閾値を記憶する。制御部は、一定時間に実行されたセルリセレクションの回数を測定し、得られたセルリセレクション回数を複数の閾値の各々と比較して、移動速度に適したレイヤを決定し、決定されたレイヤに属するセルを移行先として選択する。
【００３６】
本発明の第２の移動局装置において、記憶部は、複数のレイヤのそれぞれについて設定された、セルリセレクション回数測定時間の複数の閾値を記憶する。制御部は、セルリセレクションの回数が一定値に達するまでの所要時間を測定し、得られた所要時間を複数の閾値の各々と比較して、移動速度に適したレイヤを決定し、決定されたレイヤに属するセルを移行先として選択する。
【００３７】
第１および第２の移動局装置によれば、複数のレイヤのそれぞれに対応する複数の閾値を用いてセル移行条件が判定されるため、移動速度およびセル構成に応じた適切な大きさのセルを移行先として選択することができる。
【図面の簡単な説明】
【００３８】
【図１】階層型セル構成を示す図である。
【図２】System Information Block Type 3/4 を示す図（その１）である。
【図３】System Information Block Type 3/4 を示す図（その２）である。
【図４】System Information Block Type 11/12 を示す図である。
【図５】従来のセル選択動作のフローチャート（その１）である。
【図６】従来のセル選択動作のフローチャート（その２）である。
【図７】本発明のセル選択動作のフローチャートである。
【図８】基地局制御装置の構成図である。
【図９】基地局装置の構成図である。
【図１０】移動局装置の構成図である。
【図１１】方法ＡにおけるSystem Information Blockを示す図である。
【図１２】方法Ａにおけるパラメータを示す図である。
【図１３】方法Ａにおけるセル移行条件を示す図である。
【図１４】方法Ａによるセル選択動作のフローチャートである。
【図１５】方法ＢにおけるSystem Information Blockを示す図である。
【図１６】方法Ｂにおけるパラメータを示す図である。
【図１７】方法Ｂにおけるセル移行条件を示す図である。
【図１８】方法Ｂによるセル選択動作のフローチャートである。
【図１９】方法ＣにおけるSystem Information Blockを示す図である。
【図２０】方法Ｃにおけるパラメータを示す図である。
【図２１】方法Ｃにおけるセル移行条件を示す図である。
【図２２】方法Ｃによるセル選択動作のフローチャートである。
【図２３】方法Ｄにおけるパラメータを示す図である。
【図２４】方法Ｄによるセル選択動作のフローチャートである。
【図２５】方法Ｅによる再移行処理のフローチャートである。
【図２６】方法ＦにおけるSystem Information Blockを示す図である。
【図２７】方法Ｆによる再移行処理のフローチャートである。
【発明を実施するための最良の形態】
【００３９】
以下、図面を参照しながら、本発明を実施するための最良の形態を詳細に説明する。
本実施形態においては、従来の技術に比べて、さらに精度の高い移動速度判定方法を採用する。ＵＥが移動状態を判定するために必要な情報（ＴCRMAX およびＮCR）や、移行先を選択するのに必要なパラメータ（周辺セル情報）はすべて、priority levelと同様に、図２〜図４に示した報知情報（ＢＣＣＨ）を使ってＵＴＲＡＮからＵＥへ通知される。【００４０】
そして、ＵＥにおけるセル選択論理およびセル移行制御を複数設けることで、多層にわたるセル構成を有する移動通信システムにおいても、ＵＥが自局の移動状態に応じたセル選択を実行できるようにする。【００４１】
図７は、本実施形態におけるセル選択動作のフローチャートである。ＵＥは、まず、図５と同様の初期セル選択を行い（ステップ７０１）、待受け状態においてセルリセレクションが発生すると（ステップ７０２）、セルリセレクション回数とタイマ値に基づいて、移行先のpriority levelを選択する（ステップ７０３）。そして、選択したpriority levelのセルに移行する（ステップ７０４）。これにより、多数のpriority levelの中から各ＵＥに適したセルを選択することができる。【００４２】
以下に、図７のセル選択動作で用いられる４種類の移行先選択方法Ａ〜Ｄと、セル移行失敗時の２種類の再選択方法ＥおよびＦの基本原理を説明する。
（１）方法Ａ
セル移行方向が大セル→小セルであるか、小セル→大セルであるかに関わらず、同じセル選択論理を採用する。ＢＣＣＨにて報知される測定時間ＴCRMAX をpriority levelに依存しない固定値とし、セルリセレクション回数の閾値ＮCRをpriority level毎に指定して、移行先の判定基準に使用する。【００４３】
この方法によれば、一定の測定時間内にセルリセレクションを実行した回数の多さ（少なさ）によって、ＵＥが複数のpriority levelの中から移行先priority levelを選択して、そのpriority levelのセルに移行することができる。
（２）方法Ｂ
セル移行方向に関わらず、同じセル選択論理を採用する。ＢＣＣＨにて報知されるセルリセレクション回数の閾値ＮCRをpriority levelに依存しない固定値とし、測定時間の閾値ＴCRMAXをpriority level毎に指定して、移行先の判定基準に使用する。【００４４】
この方法によれば、所定のセルリセレクション回数に達するまでの時間の長さ（短さ）によって、ＵＥが複数のpriority levelの中から移行先priority levelを選択して、そのpriority levelのセルに移行することができる。
（３）方法Ｃ
ＵＥから見て、セル移行方向が大セル→小セルの場合には、方法Ａのセル選択論理を採用し、セル移行方向が小セル→大セル移行の場合には、方法Ｂのセル選択論理を採用する。例えば、“０”〜“７”のpriority levelが存在するとすれば、priority level“４”のセルに在圏するＵＥから見ると、priority level“５”、“６”、“７”のセルへ移行する場合は方法Ａが使用され、priority level“３”、“２”、“１”、“０”のセルへ移行する場合は方法Ｂが使用される。【００４５】
小セルから大セルへ移行するときは、ＵＥにおけるセルリセレクション回数の増加およびバッテリの消耗を防止するため、セルリセレクション回数が閾値を超えた段階で、測定時間満了を待たずに移行させることが望ましい。そこで、測定時間がより短くなる方法Ｂを使用する。一方、大セルから小セルへ移行するときは、セルリセレクション回数のカウント結果を測定時間満了まで待たないと、移行先priority levelを判定できないため、方法Ａを使用する。
（４）方法Ｄ
セル移行方向に関わらず、ＢＣＣＨにて報知される情報は、方法Ａと同一の情報を用いる。ＵＥは、方法Ａと同一のＢＣＣＨ情報を受信した場合でも、方法Ａのみならず、方法Ｃと同等のセル選択論理を採用することができる。後者のセル選択論理を採用する場合は、ＵＥ側において、受信したＢＣＣＨ情報に基づき、セル選択論理に必要な計算を実行する。【００４６】
方法ＡのＢＣＣＨ情報を用いて方法Ｃと同等の動作を行うには、ＵＥが、報知された測定時間ＴCRMAX とセルリセレクション回数の閾値ＮCRを利用してセルリセレクション発生平均時間を計算し、その平均時間に基づいて移行先priority levelを判定する。この点が他の方法Ａ〜Ｃとの最大の相違点である。【００４７】
この方法によれば、方法と同一のＢＣＣＨ情報が報知されているエリアに在圏するＵＥが、自局の状態に応じて、方法Ａを用いてセル選択を行うこともでき、かつ、方法Ｄとして異なる方法を用いてセル選択を行うこともできる。
（５）方法Ｅ
上記各方法Ａ〜Ｄにおいて、ＵＥが移行先セルを選択してセル移行を実行した際に、移行先セルが何らかの原因によりＵＥの待受け時に必要な所要受信レベルを満たせなかった場合（セル移行失敗時）、ＵＥは、リカバリ手段として別のセルへの再移行を実行する。この方法では、ＵＥは、自局が保持しているセル移行直前の判定結果に最も近い（高い／低い）priority levelを有するセルへ移行先を変更し、再移行処理を実施する。
（６）方法Ｆ
上記各方法Ａ〜Ｄにおいてセル移行失敗時に、ＵＥが別のセルへの再移行を実行する。この方法では、ＵＥは、ＢＣＣＨ情報により予め報知されている、セル移行失敗時のセル再選択優先情報を元に、直前の判定結果から所定値だけ離れたpriority levelを有するセルへ移行先を変更し、再移行処理を実施する。【００４８】
上記方法Ａ〜Ｆによれば、図１のような３層セル構成、またはそれ以上の層数の階層型セル構成を有するシステムにおいても、ＵＥのセルリセレクション方法が改善され、中間のセル１２に在圏することが有効なＵＥは、その基地局２２のセクタに対して待受け可能となる。また、ＵＥが小さなセルを高速移動するとき、セルリセレクションを繰り返してしまう現象を低減することができ、その結果、ＵＥのバッテリ消費を抑えることが可能になる。【００４９】
さらに、システム構築側（オペレータ等）から見れば、トラフィックの負荷分散の観点から目的に応じたセル選択論理を採用することができる。したがって、ＨＣＳ技術をさらに効率的に使用できるシステムが提供される。【００５０】
なお、上述した背景技術や以下の実施形態では、具体的な動作等を示すため、ＩＭＴ２０００（International Mobile Telecommunications 2000）をベースに説明しているが、本発明は、階層型セル構成を有する移動通信システムに広く適用でき、適用範囲をＩＭＴ２０００に限定するものではない。【００５１】
次に、図８から図１０までを参照しながら、移動通信システムを構成する基地局制御装置（ＲＮＣ）、基地局装置（ＢＴＳ）、および移動局装置（ＵＥ）の構成について説明する。【００５２】
図８は、基地局制御装置の構成例を示している。この基地局制御装置は、処理部８０１、８０３、８０６、インタフェース部８０２、スイッチ部８０４（ＡＴＭ−ＳＷ）、制御部８０５、８０８、および終端部８０７を備え、複数の基地局装置を制御する。【００５３】
処理部８０１は、ＡＡＬ２（ATM Adaptation Layer 2）処理部８１１−１、８１１−２、および伝送路インタフェース部８１２（ＨＷＩＦ）を含む。ＡＡＬ２処理部８１１−１および８１１−２は、ＡＡＬ２の多重分離処理を行う。【００５４】
インタフェース部８０２は、伝送路インタフェース８２１−１（ＳＤＬＴ）、８２１−２（ＳＤＬＴ）、８２２（ＨＷＩＦ）を含む。伝送路インタフェース８２１−１および８２１−２は、ＢＴＳ−ＲＮＣ間のＩｕｂ回線の終端を行う。【００５５】
処理部８０３は、パケットデータ処理部８３１−１（ＳＰＵ）、８３１−２（ＳＰＵ）、および伝送路インタフェース部８３２（ＨＷＩＦ）を含む。パケットデータ処理部８３１−１および８３１−２は、パケットデータの処理を行う。【００５６】
スイッチ部８０４は、ＡＴＭ（Asynchronous Transfer Mode）のスイッチングを行う。
制御部８０５は、伝送路インタフェース部８５１（ＨＷＩＦ）、無線フレームクロック生成部８５２（ＭＣＬＫ）、およびエマジェンシ制御部８５３（ＥＭＣ）を含む。無線フレームクロック生成部８５２は、装置内基準クロック信号を生成し、エマジェンシ制御部８５３は、装置状態の異常監視制御を行う。【００５７】
処理部８０６は、伝送路インタフェース部８６１−１（ＨＷＩＦ）、８６１−２（ＨＷＩＦ）、ダイバーシチハンドオーバトランク部８６２−１（ＤＨＴ）〜８６２−ｎ（ＤＨＴ）、およびＭＡＣ（Media Access Control）多重分離部８６３−１（Ｍ−ＭＵＸ）〜８６３−ｎ（Ｍ−ＭＵＸ）を含む。ダイバーシチハンドオーバトランク部８６２−１〜８６２−ｎは、ダイバーシチハンドオーバ処理を行い、ＭＡＣ多重分離部８６３−１〜８６３−ｎは、無線回線のＭＡＣ層多重分離処理を行う。【００５８】
終端部８０７は、伝送路インタフェース部８７１（ＨＷＩＦ）、移動局対向信号終端部８７２（ＭＳＵ）、およびＯＰＳ（オペレーションシステム）対向信号終端部８７３（ＯＳＵ）を備え、呼処理等の制御信号の終端を行う。【００５９】
制御部８０８は、バス制御部８８１（ＢＣＯＮＴ）および呼処理制御部８８２−１（ＣＰ）〜８８２−ｍ（ＣＰ）を含む。呼処理制御部８８２−１〜８８２−ｍは、呼確立制御、モビリティ管理等を行う。また、各呼処理制御部８８２は、ＨＣＳパラメータ指定部を有し、ＨＣＳパラメータを含むＳＩＢを生成して、ＢＴＳ経由でＵＥに通知する。【００６０】
図９は、基地局装置の構成例を示している。この基地局装置は、送信アンテナ９０１、受信アンテナ９０２、増幅部９０３、拡散／逆拡散処理部９０４、スイッチ部９０５（ＳＷ）、および制御部９０６を備える。【００６１】
増幅部９０３は、送信用増幅器９１１（ＡＭＰ）および受信用低雑音増幅器９１２（ＬＮＡ）を含み、拡散／逆拡散処理部９０４は、送信器９１３（ＴＸ）、受信器９１４（ＲＸ）、およびベースバンド部９１５（ＢＢ）を含む。【００６２】
ＵＥから送信された信号は、受信アンテナ９０２で受信され、増幅器９１２により増幅された後、受信器９１４、ベースバンド部９１５、およびスイッチ部９０５を経由して制御部９０６に転送される。このとき、受信器９１４は、受信信号の検波およびアナログ／デジタル（Ａ／Ｄ）変換を行い、ベースバンド部９１５は、Ｗ−ＣＤＭＡ（Wideband Code Division Multiple Access）方式における受信信号の逆拡散等のベースバンド信号処理を行う。【００６３】
また、制御部９０６からの信号は、スイッチ部９０５、ベースバンド部９１５、および送信器９１３を経由して転送され、増幅器９１１により増幅された後、送信アンテナ９０１からＵＥに送信される。このとき、ベースバンド部９１５は、Ｗ−ＣＤＭＡ方式における送信信号の拡散等のベースバンド信号処理を行い、送信器９１３は、送信信号のデジタル／アナログ（Ｄ／Ａ）変換およびＲＦ（Radio Frequency ）信号への変換を行う。【００６４】
制御部９０６は、呼処理制御部９１６、監視制御部９１７（ＳＶ）、およびインタフェース９１８（ＩＦ）を含む。呼処理制御部９１６は、無線チャネル管理、物理回線（Ｉｕｂ回線）管理、品質管理等を行う。監視制御部９１７は、装置状態の監視制御を行い、インタフェース９１８は、ＢＴＳ−ＲＮＣ間のＩｕｂ回線の終端を行う。また、呼処理制御部９１６は、基地局制御装置から受信したＳＩＢのＵＥへの送信を、ベースバンド部９１５に対して指示する。【００６５】
図１０は、移動局装置の構成例を示している。この移動局装置は、アンテナ１００１、ＲＦ部１００２、ベースバンド部１００３、音声入出力部１００４（Ｓｐｅａｋｅｒ  ＆  Ｍｉｃ）、呼処理制御部１００５、および記憶部１００６を備える。【００６６】
ＲＦ部１００２は、アンテナ共用器１０１１（ＤＵＰ）、電力増幅器１０１２（ＰＡ）、受信器１０１３（ＲＸ）、送信器１０１４（ＴＸ）、変換部１０１５（Ａｎａｌｏｇ  Ｆｒｏｎｔ  Ｅｎｄ）、および周波数合成器１０１６（Ｆｒｅｑｕｅｎｃｙ  Ｓｙｎｔｈｅｓｉｚｅｒ）を含む。【００６７】
ベースバンド部１００３は、信号処理部１０１７（Ｌ１  Ｍｏｄｅｍ  ＆  ＣＨ  ｃｏｄｅｃ）、制御部１０１８（Ｂａｓｅｂａｎｄ  ＆  ＲＦ  ｃｏｎｔｒｏｌ）、および音声インタフェース１０１９（Ａｕｄｉｏ  Ｉｎｔｅｒｆａｃｅ）を含む。音声入出力部１００４は、スピーカおよびマイクを含む。【００６８】
ＢＴＳから送信された信号は、アンテナ１００１で受信され、アンテナ共用器１０１１、受信器１０１３、および変換部１０１５を経由して、ベースバンド部１００３に転送される。このとき、受信器１０１３は、受信信号を検波し、変換部１０１５は、Ａ／Ｄ変換を行い、ベースバンド部１００３は、Ｗ−ＣＤＭＡ方式における受信信号の逆拡散等のベースバンド信号処理を行う。そして、音声信号を、音声インタフェース１０１９から音声入出力部１００４に出力する。【００６９】
また、音声入出力部１００４からの音声信号は、音声インタフェース１０１９に入力され、送信信号として、ベースバンド部１００３、変換部１０１５、送信器１０１４を経由して転送される。そして、電力増幅器１０１２により増幅された後、アンテナ共用器１０１１を経由して、アンテナ１００１からＢＴＳに送信される。このとき、ベースバンド部１００３は、Ｗ−ＣＤＭＡ方式における送信信号の拡散等のベースバンド信号処理を行い、変換部１０１５は、Ｄ／Ａ変換を行い、送信器１０１４は、周波数合成器１０１６の出力を用いて、ＲＦ信号への変換を行う。【００７０】
呼処理制御部１００５は、無線チャネル管理、品質管理、モビリティ管理等を行う。また、呼処理制御部１００５は、ＢＴＳから受信したＳＩＢの情報を記憶部１００６に格納し、ＨＣＳ構成情報等の各種パラメータを用いてセル選択制御を行う。【００７１】
次に、図１１から図２７までを参照しながら、上記方法Ａ〜Ｆの具体例を説明する。具体例では以下のような前提条件を用いるが、本発明の適用範囲はこれらの条件により限定されるものではない。
・ＨＣＳセルのpriority levelの数値範囲は０〜７とする。
・現在ＵＥが在圏しているセルのpriority levelは“４”とする。
・セルリセレクション回数の測定中において、ＵＥは同一priority levelのセル間でセルリセレクションを実行する。
（１）方法Ａ
ＵＥがセル選択制御を実施するために必要なパラメータは、図２〜図４に示したＳＩＢを用いて報知される。このうち、図３のエレメント４０内のパラメータ４４は、方法Ａを実現するために、図１１のように変更される。ここでは、priority level毎にセルリセレクション回数の閾値ＮCR−ｉ（ｉ＝０，１，．．．，７）が設定され、測定時間ＴCRMAX と閾値ＮCR−ｉとしては、例えば、図１２のような値が用いられる。【００７２】
図１３は、図１２のパラメータ値を用いた場合のＵＥのセル移行条件を示している。例えば、測定時間ＴCRMAX （１２０秒）の間に実行されたリセレクションの回数がＮCR−０（１５回）以上であれば、移行先priority levelは“０”となり、リセレクション回数がＮCR−１以上ＮCR−０未満（１２〜１４回）であれば、移行先priority levelは“１”となる。また、リセレクション回数がＮCR−７以上ＮCR−６未満（０回または１回）であれば、移行先priority levelは“７”となる。【００７３】
図１４は、方法Ａによるセル選択動作のフローチャートである。ＵＥは、あらかじめ受信したＳＩＢから図１２に示したパラメータを取得して、記憶部１００６に格納しているものとする。【００７４】
待受け状態において（ステップ１４０１）、呼処理制御部１００５は、まず、測定時間ＴCRMAX を計測するタイマを起動し、セルリセレクション回数のカウントを開始する（ステップ１４０２）。次に、セルリセレクションを実行したか否かをチェックし（ステップ１４０３）、セルリセレクションを実行する度にセルリセレクション回数をカウントアップする（ステップ１４０４）。そして、タイマ値がＴCRMAX に達するまで、セルリセレクション回数のカウントアップを繰り返す（ステップ１４０５）。【００７５】
タイマ値がＴCRMAX に達すると、priority levelを示す制御変数ｉを０とおき（ステップ１４０６）、セルリセレクション回数をＮCR−ｉと比較する（ステップ１４０７）。セルリセレクション回数がＮCR−ｉ以上であれば、priority level“ｉ”のセルでの待受け状態に移行する（ステップ１４０８）。【００７６】
一方、セルリセレクション回数がＮCR−ｉ未満であれば、ｉを１だけインクリメントして（ステップ１４０９）、ｉをpriority levelの最大値７と比較する（ステップ１４１０）。そして、ｉが７でなければ、ステップ１４０７以降の動作を繰り返し、ｉ＝７であれば、priority level“７”のセルでの待受け状態に移行する（ステップ１４１１）。
（２）方法Ｂ
ＵＥがセル選択制御を実施するために必要なパラメータは、図２〜図４に示したＳＩＢを用いて報知される。このうち、図３のエレメント４０は、方法Ｂを実現するために、図１５のように変更される。ここでは、各priority level共通の測定時間ＴCRMAX 以外に、priority level毎の測定時間の閾値ＴCR−ｉ（ｉ＝０，１，．．．，７）が設定され、測定時間の閾値ＴCR−ｉとセルリセレクション回数の閾値ＮCRとしては、例えば、図１６のような値が用いられる。【００７７】
図１７は、図１６のパラメータ値を用いた場合のＵＥのセル移行条件を示している。例えば、リセレクション回数がＮCR（８回）に達するまでの所要時間ＴがＴCR−０（６４秒）以下であれば、移行先priority levelは“０”となり、ＴがＴCR−０より長くＴCR−１以下（６４秒より長く８０秒以下）であれば、移行先priority levelは“１”となる。また、ＴがＴCR−６（４８０秒）より長ければ、移行先priority levelは“７”となる。【００７８】
図１８は、方法Ｂによるセル選択動作のフローチャートである。ＵＥは、あらかじめ受信したＳＩＢから図１６に示したパラメータを取得して、記憶部１００６に格納しているものとする。【００７９】
待受け状態において（ステップ１８０１）、呼処理制御部１００５は、まず、測定時間ＴCRMAX を計測するタイマを起動し、セルリセレクション回数のカウントを開始する（ステップ１８０２）。次に、セルリセレクションを実行したか否かをチェックし（ステップ１８０３）、セルリセレクションを実行する度にセルリセレクション回数をカウントアップする（ステップ１８０４）。そして、セルリセレクション回数がＮCRに達するまで、セルリセレクション回数のカウントアップを繰り返す（ステップ１８０５）。【００８０】
セルリセレクション回数がＮCRに達すると、カウント開始からの所要時間Ｔを記録し（ステップ１８０６）、priority levelを示す制御変数ｉを０とおいて（ステップ１８０７）、ＴをＴCR−ｉと比較する（ステップ１８０８）。ＴがＴCR−ｉ以下であれば、priority level“ｉ”のセルでの待受け状態に移行する（ステップ１８０９）。【００８１】
一方、ＴがＴCR−iより長ければ、ｉを１だけインクリメントして（ステップ１８１２）、ｉをpriority levelの最大値７と比較する（ステップ１８１３）。そして、ｉが７でなければ、ステップ１８０８以降の動作を繰り返し、ｉ＝７であれば、priority level“７”のセルでの待受け状態に移行する（ステップ１８１４）。【００８２】
また、ステップ１８０３においてセルリセレクションが実行されなければ、タイマ値をＴCRMAX と比較する（ステップ１８１０）。そして、タイマ値がＴCRMAX 未満であれば、ステップ１８０３以降の動作を繰り返し、タイマ値がＴCRMAX に達すれば、priority level“７”のセルでの待受け状態に移行する（ステップ１８１１）。
（３）方法Ｃ
ＵＥがセル選択制御を実施するために必要なパラメータは、図２〜図４に示したＳＩＢを用いて報知される。このうち、図３のエレメント４０は、方法Ｃを実現するために、図１９のように変更される。ここでは、各priority level共通の測定時間ＴCRMAX とセルリセレクション回数の閾値ＮCR以外に、priority level毎の測定時間の閾値ＴCR−ｉとセルリセレクション回数の閾値ＮCR−ｉ（ｉ＝０，１，．．．，７）が設定される。測定時間ＴCRMAX と閾値ＴCR−ｉ、ＮCR、ＮCR−ｉとしては、例えば、図２０のような値が用いられる。【００８３】
図２１は、図２０のパラメータ値を用いた場合のＵＥのセル移行条件を示している。上述したように、ＵＥが現在在圏しているセルのpriority levelを“４”とすると、それより低いpriority levelのセル（大セル）に移行する場合は、図２１の移行先priority level“０”〜“３”に示されるパラメータ値が用いられる。【００８４】
この場合、まず、タイマ値がＴCRMAX （１２０秒）に達するまでは、リセレクションがＮCR回（８回）発生するか否かをチェックし、その期間内にリセレクション回数が８回に到達すれば、その時点で移行先セルを決定する。移行先セルのpriority levelは、リセレクション回数が８回に達するまでの所要時間Ｔに応じて決定される。【００８５】
例えば、ＴがＴCR−０（６４秒）以下であれば、移行先priority levelは“０”となり、ＴがＴCR−０より長くＴCR−１以下（６４秒より長く８０秒以下）であれば、移行先priority levelは“１”となる。【００８６】
また、１２０秒経過してもリセレクション回数が８回に達しなかった場合には、在圏するセルのpriority levelである“４”以上のpriority levelのセル選択論理を用いる。この場合、図２１の移行先priority level“４”〜“７”に示されるパラメータ値が用いられ、移行先セルのpriority levelは、１２０秒が経過するまでの間に発生したリセレクションの回数に応じて決定される。【００８７】
例えば、１２０秒間に発生したリセレクションの回数がＮCR−６以上ＮCR−５未満（２回または３回）であれば、移行先priority levelは“６”となり、リセレクション回数がＮCR−７以上ＮCR−６未満（０回または１回）であれば、移行先priority levelは“７”となる。【００８８】
図２２は、方法Ｃによるセル選択動作のフローチャートである。ＵＥは、あらかじめ受信したＳＩＢから図２０に示したパラメータを取得して、記憶部１００６に格納しているものとする。【００８９】
図２２のステップ２２０１〜２２０９の動作は、図１８のステップ１８０１〜１８０９の動作と同様である。ステップ２２０８においてＴがＴCR−iより長ければ、呼処理制御部１００５は、ｉを１だけインクリメントして（ステップ２２１０）、ｉを在圏しているセルのpriority level“４”より１だけ低い“３”と比較する（ステップ２２１１）。そして、ｉが３でなければ、ステップ２２０８以降の動作を繰り返し、ｉ＝３であれば、priority level“３”のセルでの待受け状態に移行する（ステップ２２１２）。【００９０】
また、ステップ２２０３においてセルリセレクションが実行されなければ、タイマ値をＴCRMAX と比較する（ステップ２２１３）。そして、タイマ値がＴCRMAX 未満であれば、ステップ２２０３以降の動作を繰り返し、タイマ値がＴCRMAX に達すれば、priority levelを示す制御変数ｉｉに、在圏しているセルのpriority level“４”を設定し（ステップ２２１４）、セルリセレクション回数をＮCR−ｉｉと比較する（ステップ２２１５）。セルリセレクション回数がＮCR−ｉｉ以上であれば、priority level“ｉｉ”のセルでの待受け状態に移行する（ステップ２２１６）。【００９１】
一方、セルリセレクション回数がＮCR−ｉｉ未満であれば、ｉｉを１だけインクリメントして（ステップ２２１７）、ｉｉをpriority levelの最大値７と比較する（ステップ２２１８）。そして、ｉが７でなければ、ステップ２２１５以降の動作を繰り返し、ｉ＝７であれば、priority level“７”のセルでの待受け状態に移行する（ステップ２２１９）。
（４）方法Ｄ
ＵＥがセル選択制御を実施するために必要なパラメータは、図２〜図４に示したＳＩＢを用いて報知される。方法Ｄでは、例えば、方法ＡのＳＩＢが報知されているエリアに在圏するＵＥが、方法Ａを用いてセルを選択することもでき、かつ、自局の状態を判断し、方法Ａとは異なるセル移行条件を計算して、自局により適した移行先セルを選択することもできる。ここでは、方法Ａと同一のＳＩＢを受信して方法Ｃと同一のセル移行条件を計算する例を説明する。【００９２】
この場合、ＳＩＢのＨＣＳ構成情報としては、図１１と同様の情報が用いられ、測定時間ＴCRMAX とセルリセレクション回数の閾値ＮCR−ｉとしては、例えば、図２３のような値（図１２と同じ）が用いられる。呼処理制御部１００５は、以下の論理で自局のセル移行条件を計算する。
１．ＴCRMAX ／ＮCR−ｉを計算することで、それぞれのＮCR−ｉ毎にリセレクション１回当りの平均時間を求める。【００９３】
ＮCR−７：１２０／０→０秒／回と決定する。
ＮCR−６：１２０／２＝６０秒／回
ＮCR−５：１２０／４＝３０秒／回
ＮCR−４：１２０／６＝２０秒／回
ＮCR−３：１２０／８＝１５秒／回
ＮCR−２：１２０／１０＝１２秒／回
ＮCR−１：１２０／１２＝１０秒／回
ＮCR−０：１２０／１５＝８秒／回
２．ＵＥが在圏するセルより低いpriority levelのセルへ移行する場合のリセレクション回数の閾値ＮCRを計算する。【００９４】
前提条件より、ＵＥはpriority level“４”のセルに在圏しているので、これより１だけ低いpriority level“３”の閾値ＮCR−３（８回）をＮCRとする。
３．各移行先priority level“ｉ”について、セルリセレクションをＮCR回（８回）実行するのに要する平均時間を、上記１．の結果から計算する。これにより、図２０と同一の測定時間の閾値ＴCR−ｉ（ｉ＝０，１，２，３）が得られ、ＴCR−ｉを用いて図２１と同一のセル移行条件が設定される。【００９５】
ＮCR−３：１５秒／回×８回＝１２０秒→ＴCR−３
ＮCR−２：１２秒／回×８回＝９６秒  →ＴCR−２
ＮCR−１：１０秒／回×８回＝８０秒  →ＴCR−１
ＮCR−０：８秒／回×８回＝６４秒    →ＴCR−０
４．ＵＥが在圏するセルより高いpriority levelのセルへ移行する場合は、測定時間がＴCRMAX （１２０秒）に達した時点でのリセレクション回数に応じて、移行先priority levelを決定する。【００９６】
ここでは、ＮCR−ｉ（ｉ＝４，５，６，７）を用いて図２１と同一のセル移行条件が設定される。
図２４は、方法Ｄによるセル選択動作のフローチャートである。ＵＥは、あらかじめ受信したＳＩＢから図２３に示したパラメータを取得して、記憶部１００６に格納しているものとする。【００９７】
待受け状態において（ステップ２４０１）、呼処理制御部１００５は、まず、上記１．〜４．に示した論理で図２０と同一のパラメータを計算して、記憶部１００６に格納する（ステップ２４０２）。そして、ステップ２４０３〜２４２０において、図２２のステップ２２０２〜２２１９と同様の動作を行う。
（５）方法Ｅ
上記各方法Ａ〜Ｄによるセル移行が失敗したとき、ＵＥは、移行先セルのpriority levelに最も近いpriority levelを有するセルを移行先として、再移行処理を実施する。例えば、方法Ａによるセル移行が失敗した場合の再移行処理は、図２５のようになる。【００９８】
待受け状態において（ステップ２５０１）、呼処理制御部１００５は、まず、図１４に示した動作を行って、方法Ａによりセルを選択し（ステップ２５０２）、選択されたセルでの待受け状態に移行する（ステップ２５０３）。【００９９】
次に、移行先セルでの受信レベルをＳＩＢから取得した閾値Ｑhcs と比較し（ステップ２５０４）、受信レベルがＱhcs より大きければ、そのセルにおける待受け制御（３ＧＰＰ）を行う（ステップ２５０７）。【０１００】
受信レベルがＱhcs 以下であれば、次に、移行先セルのpriority levelを移行前セルのpriority levelと比較する（ステップ２５０５）。移行先セルのpriority levelが移行前セルのpriority levelより高ければ、移行先セルのpriority levelに１を加算し、加算結果と同じpriority levelを有するセルを再移行先に選択して、そのセルでの待受け状態に移行する（ステップ２５０６）。【０１０１】
一方、移行先セルのpriority levelが移行前セルのpriority levelより低ければ、移行先セルのpriority levelから１を減算し、減算結果と同じpriority levelを有するセルを再移行先に選択して、そのセルでの待受け状態に移行する（ステップ２５０８）。【０１０２】
そして、再移行先セルでの待受け状態において、ステップ２５０４以降の動作を繰り返す。
方法Ｂ〜Ｄによるセル移行が失敗した場合の再移行処理についても、図２５と同様である。
（６）方法Ｆ
上記各方法Ａ〜Ｄによるセル移行が失敗したとき、ＵＥは、移行先セルのpriority levelから所定値だけ離れたpriority levelを有するセルを移行先として、再移行処理を実施する。【０１０３】
例えば、図４のＳＩＢを用いて方法Ｆにおける上記所定値を報知する場合、図２６に示すように、ＳＩＢにパラメータ２６０１および２６０２が追加される。方法Ａによるセル移行が失敗した場合の再移行処理は、図２７のようになる。【０１０４】
図２７のステップ２７０１〜２７０５および２７０７の動作は、図２５のステップ２５０１〜２５０５および２５０７の動作と同様である。ステップ２７０５において移行先セルのpriority levelが移行前セルのpriority levelより高ければ、呼処理制御部１００５は、移行先セルのpriority levelに、パラメータ２６０１により指定された所定値αを加算し、加算結果と同じpriority levelを有するセルを再移行先に選択して、そのセルでの待受け状態に移行する（ステップ２７０６）。【０１０５】
一方、移行先セルのpriority levelが移行前セルのpriority levelより低ければ、移行先セルのpriority levelに、パラメータ２６０２により指定された所定値−αを加算し、加算結果と同じpriority levelを有するセルを再移行先に選択して、そのセルでの待受け状態に移行する（ステップ２７０８）。【０１０６】
そして、再移行先セルでの待受け状態において、ステップ２７０４以降の動作を繰り返す。
なお、パラメータ２６０１により指定される所定値の絶対値と、パラメータ２６０２により指定される所定値の絶対値は、必ずしも同一である必要はない。【０１０７】
方法Ｂ〜Ｄによるセル移行が失敗した場合の再移行処理についても、図２７と同様である。
方法Ｅおよび方法Ｆの再移行処理によれば、たとえ選択されたセルへの移行に失敗した場合であっても、そのセルにある程度近い優先度を有するセルへ移行することが可能になる。
【図２】
0004791544.tif 000002
【図３】
0004791544.tif 000003
【図４】
0004791544.tif 000004
【図５】
0004791544.tif 000005
【図６】
0004791544.tif 000006
【図７】
0004791544.tif 000007
【図８】
0004791544.tif 000008
【図９】
0004791544.tif 000009
【図１０】
0004791544.tif 000010
【図１１】
0004791544.tif 000011
【図１２】
0004791544.tif 000012
【図１３】
0004791544.tif 000013
【図１４】
0004791544.tif 000014
【図１５】
0004791544.tif 000015
【図１６】
0004791544.tif 000016
【図１７】
0004791544.tif 000017
【図１８】
0004791544.tif 000018
【図１９】
0004791544.tif 000019
【図２０】
0004791544.tif 000020
【図２１】
0004791544.tif 000021
【図２２】
0004791544.tif 000022
【図２３】
0004791544.tif 000023
【図２４】
0004791544.tif 000024
【図２５】
0004791544.tif 000025
【図２６】
0004791544.tif 000026
【図２７】
0004791544.tif 000027
【図１】
0004791544.tif 000028